(57)【要約】【課題】省電力無線を利用し、システムの小型・コンパクト化、簡素化が図れ、その取付・設置が容易で、誤作動を生じさせることなく、車両の盗難等から愛車を守ることができ、安心感を付与できるセキュリティシステムを提供する。【解決手段】本発明に係るセキュリティシステム１０では、住宅やその敷地内の各監視エリアに設けられ、異常を検出する複数のセキュリティセンサ型送信機１２と、この送信機１２からの異常検出信号を無線にて受信して信号処理し、異常を知らせるセキュリティコントローラ１１とを有する。セキュリティセンサ型送信機１２は、車両への侵入あるいは車両の移動を検出して異常検出信号を送信するため、車両に搭載される車載用センサ型送信機１７を備え、この送信機１７は住宅の建物内に設けられたセキュリティコントローラ１１と無線通信可能に設定される。車載用センサ型送信機１７は使用される警戒エリアが車庫・駐車場等の監視エリア内に特定され、この監視エリア内でセキュリティコントローラ１１と無線通信可能に構成されたものである。【選択図】  図４
2004185124.tif 000002
【特許請求の範囲】
【請求項１】
住宅あるいは住宅敷地内の監視エリアに設けられ、異常を検知する複数のセキュリティセンサ型送信機と、
上記セキュリティセンサ型送信機で検知された異常検出信号を無線を介して受信し、信号処理して異常を知らせるセキュリティコントローラとを有し、
前記セキュリティセンサ型送信機には、車両への侵入あるいは車両の移動を検出して異常検出信号を送信するため、車両に搭載される車載用センサ型送信機が備えられ、
この車載用センサ型送信機は住宅の建物内に設けられた前記セキュリティコントローラと無線通信可能に設定されたことを特徴とするセキュリティシステム。
【請求項２】
前記車載用センサ型送信機は、この送信機が使用される警戒エリアが車庫、駐車場等の監視エリア内に特定され、この監視エリア内で車載用センサ型送信機はセキュリティコントローラと無線通信可能に設定された請求項１記載のセキュリティシステム。
【請求項３】
前記車載用センサ型送信機は、車両所有者等の特定人が車両を利用するとき、自動的にあるいは手動操作により車載用センサ型送信機をＯＦＦ状態にセットさせ得るセット解除機能を備えた請求項１記載のセキュリティシステム。
【請求項４】
前記車載用センサ型送信機は、車両の振動を感知する振動センサと、この振動センサからのセンサ信号を入力して信号処理する信号処理部と、この信号処理部で処理された出力信号により車両盗難等の異常内容を音または光で周囲に知らせるアラーム発生手段と、前記信号処理部からの異常検出信号を無線にてセキュリティコントローラに送信する送信機とを備える請求項１記載のセキュリティシステム。
【請求項５】
前記車載用センサ型送信機は、ドアロックおよびドアロック解除を行なう車両用リモートコントローラによりＯＮ−ＯＦＦ作動制御され、車両用リモートコントローラによるドアロック時に車載用センサ型送信機はＯＮ状態にセットされ、ドアロック解除時にＯＦＦ状態にセットされた請求項１または３記載のセキュリティシステム。
【発明の詳細な説明】
【０００１】
【発明の属する技術分野】
本発明は、多数の監視エリアを個別に監視し、異常時に警報を発したり、外部に通報するセキュリティシステムに係り、特に車両の盗難や車上狙いから大切な車両を守ることができるワイヤレスのセキュリティシステムに関する。
【０００２】
【従来の技術】
住宅内に防犯スイッチ、火災感知器、ガス漏れ検出器等の各種セキュリティ機器を設置し、セキュリティ機器が作動した場合に異常状態を音声や表示灯等で住居人に知らせたり、外部に通報するセキュリティシステムが開発されている。
【０００３】
この種のセキュリティシステムとして、特開平１１−２３８１８７号公報（特許文献１参照）や特開２０００−２１５３６８号公報（特許文献２参照）に示された防犯システムがある。
【０００４】
これらの防犯システムは、いずれもマンション等の集合住宅やビルに適用されるもので、各住宅毎に監視盤を設け、各監視盤を多重伝送回線を通じて中央の防犯監視盤に接続し、警備担当者や監理者が防犯監視盤上の表示パネルを監視することで、マンションやビル全体の利用者の状態を確認し、監視できるようにしている。
【０００５】
また、各住宅毎に設けられる監視盤には各セキュリティ機器が信号線を介して有線接続される。各セキュリティ機器は、警戒エリアや火災・ガス・水漏れ検知エリアに設置される防犯スイッチ、非常スイッチや火災感知器、ガス漏れ検知器、水漏れ検知器である。
【０００６】
監視盤には、複数の警戒エリアや火災・ガス・水漏れ検知エリア等の各監視エリアを正確に監視するために、各監視エリアを番号付けして管理しているが、この番号付けを行なうために、監視盤にテンキーを備えた操作部を設けている。この操作部のテンキー操作により、監視盤と各種セキュリティ機器のアドレスを個々に設定したり、監視エリアの設定や警報時間の設定、外部通報先の設定等を行なうようになっている。
【０００７】
また、最近では、省電力無線を利用したセキュリティシステムも開発され、使用されるようになってきた。
【０００８】
このセキュリティシステムにおいては、異常時にマグネットセンサやパッシブセンサ等の個々のセンサ型送信機から異常検出信号の発信を受け、この信号を室内設置のコントローラで受信し、コントローラから警報を発したり、また必要に応じ外部に連絡するシステムとなっている。
【０００９】
【特許文献１】
特開平１１−２３８１８７号公報（明細書の段落［００１２］〜［００１５］および図１，図２参照）
【００１０】
【特許文献２】
特開２０００−２１５３６８号公報（明細書の段落［０００９］〜［００１８］および図１，図２参照）
【００１１】
【発明が解決しようとする課題】
従来のセキュリティシステムは、ビルやマンションに適用される防犯システムであり、この防犯システムは中央の防犯監視盤と各住宅毎の監視盤とが多重伝送回線を介して有線接続され、さらに、監視盤と各セキュリティ機器とが有線で接続されるため、セキュリティシステムが大型で複雑化し、配線作業が必要となり、セキュリティシステムの取付・設置が面倒である。セキュリティシステムの取付や配線、設置に高度の専門性や時間を要したり、ビルやマンション完成後にはセキュリティシステムの後付け設置が困難である等の問題があった。
【００１２】
また、従来のセキュリティシステムは、防犯対策がメインに設置されるために、その住宅に住む家族に対しても侵入者と区別がなく、誤って誤作動する恐れがある。さらに、車両の盗難や車両の積載品を守るために、車両に車盗難センサを設け、車盗難センサから定期的に「異常なし」信号を外部発信したり、異常時に携帯電話機に異常を連絡するセキュリティシステムが開発されているが、このセキュリティシステムでは携帯電話機の不携帯時やＯＦＦ時には、車両異常を感知することができなかったり、住宅内に居る家族へ車両の異常メッセージが送られることはなかった。
【００１３】
さらに、従来のセキュリティシステムでは、操作部のテンキー操作により、監視盤と各種セキュリティ機器のアドレス設定、監視エリアの設定、警報時間の設定、外部通報先の設定を行なっているが、監視盤にテンキー等の独立した操作部が必要なために、監視盤が大型化し、製造コストも割高になる問題があった。
【００１４】
本発明は、上述した事情を考慮したもので、省電力無線利用のシステムとしてシステムの小型・コンパクト化、簡素化が図れ、その取付・設置が容易で誤作動を生じさせることがなく、車両の盗難等から愛車を守ることができ、安心感を付与できるセキュリティシステムを提供することを目的とする。
【００１５】
本発明の他の目的は、同居する家族に対する生活確認機能や車両盗難防止機能、セキュリティアシスト機能を備え、家族に安心感を与える生活密着型のセキュリティシステムを提供するにある。
【００１６】
本発明の別の目的は、家族に対して誤作動することなく、住宅やその敷地内への侵入者、車両への不審なアクセス者などを検知して警報を鳴らしたり、必要に応じて外部へ通報するセキュリティシステムを提供するにある。
【００１７】
【課題を解決するための手段】
本発明に係るセキュリティシステムは、上述した課題を解決するために、請求項１に記載したように、住宅あるいは住宅敷地内の監視エリアに設けられ、異常を検知する複数のセキュリティセンサ型送信機と、上記セキュリティセンサ型送信機で検知された異常検出信号を無線を介して受信し、信号処理して異常を知らせるセキュリティコントローラとを有し、前記セキュリティセンサ型送信機には、車両への侵入あるいは車両の移動を検出して異常検出信号を送信するため、車両に搭載される車載用センサ型送信機が備えられ、この車載用センサ型送信機は住宅の建物内に設けられた前記セキュリティコントローラと無線通信可能に設定されたものである。
【００１８】
また、上述した課題を解決するために、本発明に係るセキュリティシステムは、請求項２に記載したように、前記車載用センサ型送信機は、この送信機が使用される警戒エリアが車庫、駐車場等の監視エリア内に特定され、この監視エリア内で車載用センサ型送信機はセキュリティコントローラと無線通信可能に設定されたものである。
【００１９】
さらに、上述した課題を解決するために、本発明に係るセキュリティシステムは、請求項３に記載したように、前記車載用センサ型送信機は、車両所有者等の特定人が車両を利用するとき、自動的にあるいは手動操作により車載用センサ型送信機をＯＦＦ状態にセットさせ得るセット解除機能を備えたものである。
【００２０】
さらにまた、上述した課題を解決するために、本発明に係るセキュリティシステムは、請求項４に記載したように、前記車載用センサ型送信機は、車両の振動を感知する振動センサと、この振動センサからのセンサ信号を入力して信号処理する信号処理部と、この信号処理部で処理された出力信号により車両盗難等の異常内容を音または光で周囲に知らせるアラーム発生手段と、前記信号処理部からの異常検出信号を無線にてセキュリティコントローラに送信する送信機とを備えるものである。
【００２１】
また、上述した課題を解決するために、本発明に係るセキュリティシステムは、請求項５に記載したように、前記車載用センサ型送信機は、ドアロックおよびドアロック解除を行なう車両用リモートコントローラによりＯＮ−ＯＦＦ作動制御され、車両用リモートコントローラによるドアロック時に車載用センサ型送信機はＯＮ状態にセットされ、ドアロック解除時にＯＦＦ状態にセットされたものである。
【００２２】
【発明の実施の形態】
本発明に係るセキュリティシステムの実施形態について添付図面を参照して説明する。
【００２３】
図１は本発明に係るセキュリティシステム１０の概略的な構成図を示す。このセキュリティシステム１０は省電力無線を利用した生活密着型のワイヤレスの防犯システムである。セキュリティシステム１０は住宅の室内に設けられる監視制御盤としてのセキュリティコントローラ１１と、このセキュリティコントローラ１１と無線にて送受信可能に接続される複数のセキュリティセンサ型送信機１２とにより構成される。セキュリティセンサ型送信機１２は異常の有無等のセキュリティセンサ機能と検出内容を無線送信する送信機能とを備えている。
【００２４】
セキュリティセンサ型送信機１２は、建物やその敷地内への侵入者を遠赤外線で検知するパッシブ型センサ１５、建物の窓やドアに取り付けられたマグネットスイッチ型センサ１６、乗用車等の車両に搭載される車載用センサ型送信機１７、家族が身に付け異常時に押圧操作可能なコールセンサとしてのペンダント型送信機１８、火災を検知する火災検知センサ１９、ガス漏れを検知するガス漏れ検知センサ２０、水漏れを検知する水漏れ検知センサ２１等、各用途に応じたセンサ型送信機である。
【００２５】
パッシブ型センサ１５は、建物の敷地内に設ける場合は、建物外壁や塀の内側に取り付けられたり、スタンドアロン型に形成されて常設される。
【００２６】
また、車載用センサ型送信機１７は、車両の振動を感知する盗難防止用振動センサであり、この車載用センサ型送信機１７は車両の運転席前面パネル等の車内に組み込まれたり、サンバイザや車両ドアの内側ポケット、その他に脱着自在に取り付けられる。
【００２７】
さらに、ペンダント型送信機１８は、腕時計のバンド型あるいはベルト装着型のように身に付けるセンサで耐衝撃性や耐水性を有するものが好ましい。
【００２８】
一方、建物やその敷地内は、車両の盗難防止を行なう防犯エリアや火災・ガス漏れ・水漏れ検知エリアである警戒エリアと、家族の異常の有無を検知するファミリエリアとに分けられ、これら警戒エリアおよびファミリエリアにより監視エリアが構成される。監視エリアを構成する各警戒エリアおよびファミリエリアには、それぞれ用途に適した種類やタイプのセキュリティセンサ型送信機１２が設けられる。
【００２９】
例えば、建物敷地内への侵入者を検知する警戒エリア（防犯エリア）にはパッシブ型センサ１５が、玄関や勝手口、居間、風呂場の窓やドアの警戒エリア（防犯エリア）にはマグネットスイッチ型センサ１６が、ファミリエリアで生活する家族、主に老人、障害者にはペンダント型送信機１８が用いられる。玄関や居間、勝手口等の警戒エリアには、マグネットスイッチ型センサ１６に代えて、人の身体から発生する遠赤外線を感知して送信する人感センサであってもよい。この場合、人感センサを卓上型として設置や移動を自由に選択できるようにしてもよい。
【００３０】
セキュリティセンサ型送信機１２のうち、車載用センサ型送信機１７は、例えば図２および図３に示すように構成される。
【００３１】
この車載用センサ型送信機１７は、車両が車庫や駐車場等の警戒エリアから盗難されるのを防止するための警報機付センサである。この車載用センサ型送信機１７は、車両の振動を感知して異常をキャッチし、アラーム発生手段２２の音および光の少なくとも一方で周囲に警告を発するとともに、異常検出信号を無線にてセキュリティコントローラ１１側に送信するようになっている。この音と光で周囲に警告を発するアラーム発生手段２２を備えることにより、車両の盗難や車両積載品の盗難を有効的に防止することができる。
【００３２】
車載用センサ型送信機１７は、例えば図２に示すように、携帯用ボックスタイプで車両のサンバイザや車両ドアの内側ポケット等に図示しないグリップ部で着脱可能に取り付けられる。車載用センサ型送信機１７はセンサ本体２５に異常時にアラーム音を発するスピーカ２６と、フラッシュライト等を備えた点滅ランプ２７と、車載用センサ型送信機１７をＯＮ−ＯＦＦさせるＯＮ／ＯＦＦスイッチボタン２８と、セキュリティコントローラ１１に異常検出信号を無線送信し、車両用リモートコントローラスイッチ２９から車載用センサ型送信機１７をＯＮ−ＯＦＦさせる操作信号を受信する送受信機３０とを備える。スイッチボタン２８は車載用センサ型送信機１７を手動操作によりＯＮ−ＯＦＦさせるものであるが、このスイッチボタン２８のボタン操作を車両所有者等の特定人のみが行ない得るように、指紋による認証キー機能をスイッチボタン２８に備えてもよい。この場合、特定の操作者、例えば家族のみがボタン操作したときに、車載用センサ型送信機１７のＯＦＦ操作が行なわれるようになっている。
【００３３】
さらに、車載用センサ型送信機１７は、図３に示すように、センサ本体２５に送受信機３０のアンテナ３１を備えており、車両用リモートコントローラ２９から入力されたコントロール信号がアンテナ３１を経て受信機３２ａに受信され、判別回路３３を経てＣＰＵ等の信号処理部３４に入力され、この信号処理部３４で入力信号が処理される。
【００３４】
車両用リモートコントローラ２９はエンジンキーとは別体の携帯ボックスタイプに構成される。車両用リモートコントローラ２９には、スイッチ本体４０に車両のドアロック用のドアロックボタン４１、ドアロックを解除するドアロック解除ボタン４３、車両トランクのトランクロック解除ボタン４４、車内点灯用の点灯ボタン４５、車載用センサ型送信機１７をＯＮ−ＯＦＦさせるスイッチボタン４６および各ボタン操作による操作信号を出力する送信機４７がそれぞれ設けられる。車両用リモートコントローラ２９のボタン操作により、車載用センサ型送信機１７とは別に車両側ドアロック装置（図示せず）を作動させてドアロックさせたり、ドアロックを解除したり、また、図示しないトランクロック装置を作動させてロック解除したり、車載用センサ型送信機１７をＯＮ−ＯＦＦ制御できるようになっている。
【００３５】
車両用リモートコントローラ２９は、車載用センサ型送信機１７のＯＮ−ＯＦＦ制御を、スイッチボタン４６のボタン操作の代りにドアロックボタン４１やドアロック解除ボタン４３で行ない得るようにしてもよい。ドアロックボタン４１に車載用センサ型送信機１７のＯＮ操作機能を持たせ、ドアロック解除ボタン４３に車載用センサ型送信機１７のＯＦＦ操作機能を持たせることにより、スイッチボタン４６は不要となる。ドアロックボタン４１とドアロック解除ボタン４３とに車載用センサ型送信機１７のＯＮ−ＯＦＦ機能を持たせた場合には、車載用センサ型送信機１７のセンサ本体２５にＯＮ−ＯＦＦスイッチボタン２８を必ずしも設ける必要はない。車両用リモートコントローラ２９により車両の外部から車両内に搭載された車載用センサ型送信機１７のＯＮ−ＯＦＦ操作を行なうことができ、車両外部から車載用センサ型送信機１７のセット操作（ＯＮ状態）やリセット操作（ＯＦＦ状態）をすることができる。
【００３６】
車両用リモートコントローラ２９のドアロックボタン４１もしくはドアロック解除ボタン４３またはスイッチボタン４６からのボタン操作により超音波や遠赤外線信号、例えば２．４５ＧＨｚ帯の電波信号等の操作信号が送信機３８から無線送信され、車載用センサ型送信機１７の受信機３２ａに受信される。受信された車載用センサ型送信機１７のＯＮ−ＯＦＦ操作信号は、判別回路３９にて所要の車両用リモートコントローラ２９からの操作信号であるか否か判別され、判別結果、車両用リモートコントローラ２９以外の信号は排除されるようになっている。
【００３７】
また、車両用リモートコントローラ２９からのボタン操作信号は、判別回路３３を経て信号処理部３４に送られて信号処理される。信号処理部４０はＯＮ操作信号を入力して車載用センサ型送信機１７を作動状態（ＯＮ状態）にセットする一方、ＯＦＦ操作信号の入力により非作動状態（ＯＦＦ状態）にセットされる。
【００３８】
一方、車載用センサ型送信機１７は車両の振動を感知する振動センサ５０を備え、この振動センサ５０で感知したセンサ信号は信号処理部３４に入力されて信号処理される。振動センサ５０は振動検出レベル（センサ感度）を数段階、例えば７段階に調整可能なセンサであり、この振動センサ５０で車両の異常を検出し、この検出センサ信号を信号処理部３４に送って信号処理している。
【００３９】
車載用センサ型送信機１７のＯＮ作動時に、振動センサ５０から車両の異常を感知するセンサ信号を信号処理部３４が入力すると、信号処理部３４はセンサ信号を信号処理して音声出力回路５１およびフラッシュ作動回路５２に異常検出信号を出力してスピーカ２６からアラーム音を発するとともに点滅ランプ２７を点滅させ、アラーム発生手段２７の音と光で周囲の人に車両の異常を知らせる。アラーム音は音声メッセージとともに周囲にブザー音を発するようにしてもよい。スピーカ２６および点滅ランプ２７によりアラーム発生手段２２を構成している。
【００４０】
また、車載用センサ型送信機１７は、アラーム発生手段２２の音と光で車両の異常を周囲に知らせるとともに、信号処理部３４から異常検出信号を送信機３２ｂに出力し、この送信機３２ｂのアンテナ３１からセキュリティコントローラ１１に無線にて通信するようになっている。なお、符号５３は車載用センサ型送信機１７を駆動するためのバッテリである。車載用センサ型送信機１７を運転席の前面パネル等に組み込んで搭載させた場合には、バッテリ５３に代えて車両車載バッテリを電源として用いてもよい。
【００４１】
さらに、車載用センサ型送信機１７は、この送信機１７が使用される警戒エリアが車庫や駐車場等の監視エリアに駐停車している車両に特定される。この警戒エリアは、監視エリア内に設定される。車載用センサ型送信機１７はセキュリティコントローラ１１に車両盗難防止用のチャンネルを設定し、セキュリティコントローラ１１と無線にて通信可能に形成される。車載用センサ型送信機１７はセキュリティコントローラ１１に登録されることにより、直ちに使用可能となる。車載用センサ型送信機１７の登録設定は、セキュリティコントローラ１１の設定操作等により簡単かつ容易に行なうことができ、この登録設定でセキュリティコントローラ１１に車載用センサ型通信機１７との間で車両盗難防止用チャンネルを簡単かつ容易に構築することができる。
【００４２】
また、車載用センサ型送信機１７は、車両に搭載され、取り付けられた状態で使用されるが、車載用センサ型送信機１７がセキュリティコントローラ１１の電波到達範囲外へ移動した場合には、セキュリティコントローラ１１の通信は不可能となるので、車両の異常状態を通知することがない。したがって、車載用センサ型送信機１７を車両に取り付けたまま運転して外出することができ、使い勝手が向上する。
【００４３】
車載用センサ型送信機１７を車両用リモートコントローラ２９のドアロック操作やドアロック解除操作に連動させることにより、車両への乗り降りの際に、車載用センサ型送信機１７をＯＮ−ＯＦＦ状態にセットすることができる。例えばドアロック操作に連動させて車載用センサ型送信機１７をＯＮ状態（警戒状態）にセットでき、ドアロック解除操作によりＯＦＦ状態（警戒状態解除）にセットでき、車両への乗り降りの際に、車載用センサ型送信機１７の警戒状態へのセット、セット解除を自動的に行なうことができる。
【００４４】
一方、車載用センサ型送信機１７は、予め登録された特定人、例えば車両所有者やその家族が運転する場合にのみ、スイッチボタン２８のＯＮ−ＯＦＦ操作が可能な構成としておくことにより、誤使用や誤作動の防止を図ることができ、使い勝手が向上する。
【００４５】
一方、セキュリティセンサ型送信機１２に無線で送受信可能なセキュリティコントローラ１１は、図４および図５に示された外観構成を備える。
【００４６】
セキュリティコントローラ１１は、建物の壁や柱に簡易に据付可能で外部電源駆動、小型・軽量のボックス構造に形成され、２分割可能な本体ケース５５に送受信可能アンテナ５６が設けられる。セキュリティコントローラ１１はバッテリ駆動としてもよい。本体ケース５５の前面には、異常内容や警報内容を表示するＬＣＤ等の表示パネル５７と、セキュリティコントローラ１１や各セキュリティセンサ型送信機１２のアドレス設定や監視エリアの設定、警報時間の設定、外部通信先の設定を行なうカーソルボタンとしてのカーソルキー５８および決定ボタンとしての決定スイッチ５９と、各監視エリアに対応したエリアボタン６０と、監視情報や異常情報を音声表示するスピーカ６１と、非常時に押圧操作される非常ボタン６２と、リセット操作を行なう取消ボタン６３と、在宅ボタン６４および留守番ボタン６５が設けられる。なお、符号６６はバッテリチェックボタンである。バッテリチェックボタン６６はセキュリティコントローラ１１の動作状態を示す電源ランプを兼ねてもよい。
【００４７】
非常ボタン６２は、その押圧操作により、セキュリティコントローラ１１から非常の音声メッセージと警報を鳴らす一方、予め登録された電話番号により外部に非常内容を自動的に通報できるようになっている。在宅ボタン６４は、在宅時でも目の届かないドアや勝手口、２階のベランダのように気になる場所を警備エリアに選んでワンタッチでセット操作できる。一度セットすれば設定内容をメモリ（図示せず）で記憶することにより、次からワンタッチ操作でセット可能となる。また、留守電ボタン６５は、例えば家族全員が外出するときなどのように全てのセンサをワンタッチでセットできるようになっている。
【００４８】
図４に示されたセキュリティコントローラ１１では、エリアボタン６０は例えば１０個有し、各エリアボタン６０に１〜９，０の番号付けがなされている。個々のエリアボタン６０は建物やその敷地内で区画された各監視エリア（警戒エリアおよびファミリエリア）にそれぞれ対応している。１０個のエリアボタン６０は、テンキーを兼ねており、各エリアボタン６０とカーソルキー５８および決定スイッチ５９とにより、セキュリティコントローラ１１や各セキュリティセンサ型送信機１２にアドレス設定等の種々の設定操作を行なうことができるようになっている。エリアボタン６０を例えば１０個備えることで、独立したテンキー操作部が不要となり、その分、部品点数を減少させることができ、セキュリティコントローラ１１のレイアウト構造が簡素化され、小型・コンパクト化を図ることができる。
【００４９】
また、セキュリティコントローラ１１は、図６に示すように、各監視エリアに設置されたセキュリティセンサ型送信機１２と無線にて通信できるように構成される。各セキュリティセンサ型送信機１２から送信された信号は、アンテナ５６を介してセキュリティコントローラ１１の受信機７０に受信されて判別回路４１に送られ、この判別回路４１にてバッシブ型センサ１５やマグネットスイッチ型センサ１６、車載用センサ型送信機１７、火災検知センサ１９あるいはペンダント型送信機１８等からの信号であるか否か、信号の種別が判別される。
【００５０】
セキュリティセンサ型送信機１２からの出力信号は信号の種別が判別回路７１で判定された後、ＣＰＵ等からなる信号処理・制御部７２に送られて信号処理される。侵入者等が侵入した異常時には、表示回路７３を介して表示パネル５７上に監視エリアとともに異常内容がメッセージ表示される。異常内容や監視内容は音声出力回路７４を経てスピーカ６１から警報が発せられる。
【００５１】
また、各監視エリアでの異常のうち、侵入者や車両へのアクセス者による異常時には、送信回路７５を経て必要な外部、例えば勤務先、警備会社や最寄りの警察署等の所定の外部連絡先に送信回路７５からの有線あるいは送信機７６からの無線の電話回線を利用して、異常内容や建物の住所、所有者、車両の種類、登録番号等が自動的に通報される。
【００５２】
監視エリア内の火災検知センサ１９が火災を検知した場合には、セキュリティコントローラ１１から音声出力回路７４を介してスピーカ６１にて音声出力される一方、必要に応じて最寄りの消防署にも火災発生のメッセージや建物の住所、所有者名が自動的に有線あるいは無線の電話回線を通じて通報される。
【００５３】
また、各監視エリアのうちファミリエリアでの異常時には、そのコール情報をセキュリティコントローラ１１の表示パネル５７に表示したり、スピーカ６１から音声で表示し、家族に連絡する一方、必要に応じて外部、例えば家族の勤務先、親しい隣り近所、親戚、さらには最寄りの救急センタや生活センタ等の所定の連絡先に通報できるようになっている。
【００５４】
ファミリエリアに設けられるセンサ送信機は、ペンダント型に限定されず、トイレや冷蔵庫のドアなど通常開閉動作を行なう場所や、廊下など必ず通る場所に設置したセンサ送信機でもよい。このファミリエリアに設置のセンサ送信機は、例えば生活パターンに合せて設定された一定時間毎に家族の動作を検知できない場合に、センサ送信機から非常検出信号をセキュリティコントローラ１１に発信し、この信号を受信したセキュリティコントローラ１１が音声メッセージで周囲に発したり、また、音声メッセージを予め登録しておいた電話番号へ自動的に送信し、大切な家族や友人、親戚に連絡できるようになっている。
【００５５】
ガス漏れや水漏れあるいは漏電の場合にも、セキュリティコントローラ１１の表示パネル５７に内容がメッセージ表示されたり、スピーカ６１にて音声表示したり、さらに必要に応じてガス会社、電気会社等の外部機関に通報できるようになっている。外部機関への通報は、建物の住所、所有者名ならびに異常内容等が予め設定登録された音声にて通報される。
【００５６】
さらに、このセキュリティコントローラ１１は外部電源７７からの電力により作動せしめられるが、電源７７カット時には切換スイッチ７８が作動し、自動的に内部貯蔵のバッテリ７９側に切り換わるようになっている。セキュリティコントローラ１１は万一停電時にも安心なバックアップ電源を内蔵している。セキュリティコントローラ１１は常時バッテリ駆動としてもよい。
【００５７】
また、セキュリティコントローラ１１やセキュリティセンサ型送信機１２のアドレス設定、初期登録設定、警報時間設定、外部通報先の設定、監視エリア（警戒エリアやファミリエリア）の設定等は、エリアボタン６０やカーソルキー５８、決定スイッチ５９を操作することにより予め設定される。
【００５８】
ところで、セキュリティコントローラ１１には例えば１０個のエリアボタン６０が設けられており、これら１０個のエリアボタン６０のうち、１つはファミリエリア用に設定される。ファミリエリアは２つ以上あってもよい。
【００５９】
ファミリエリアに設置されるペンダント型送信機１８は、家族が携帯したり、所有するものである。携帯者がペンダント型送信機１８を押圧操作することにより、コール情報が無線にてセキュリティコントローラ１１に通信され、セキュリティコントローラ１１は作動せしめられる。ファミリエリアに備えられるペンダント型送信機１８には家族の生活確認機能やセキュリティアシスト機能が備えられる。例えば、二世代住宅に住む親や、介護を必要とする老人、障害者にペンダント型送信機１８を持たせる。
【００６０】
そして、このペンダント型送信機１８を携帯者が押圧操作することにより、コール情報をセキュリティコントローラ１１を介して表示パネル５７やスピーカ６１を通じて家族に文字情報および音声情報として伝達することができる。また、ペンダント型送信機１８を常時携帯用の耐衝撃型や耐水性のセンサとすれば、例えば風呂場等で転倒したとき、その異常をセキュリティコントローラ１１を介して家族、必要に応じて予め登録した外部機関に自動的に送信することができる。ファミリエリアにはペンダント型送信機１８に代えて生活パターン上必要箇所に設置されるセンサ型送信機でもよい。
【００６１】
セキュリティコントローラ１１で監視される監視エリアのうち、ファミリエリアのみに生活確認機能を持たせ、それ以外の監視エリアのうちの警戒エリアには生活確認機能を持たせないように設定することができる。
【００６２】
監視エリアのうち、ファミリエリアのみに生活確認機能を持たせて、特定することにより、生活確認機能が必要な場所（ファミリエリア）で使用されるセンサ型送信機（ペンダント型送信機１８）には、センサ設定登録時にセキュリティコントローラ１１にファミリエリア用センサとして登録するだけでよく、各警戒エリアに設置されるセンサ型送信機に生活確認機能を持たせるか否か設定する必要がなくなる。
【００６３】
また、ファミリエリアで使用されるセンサ型送信機１８にのみ生活確認機能を持たせることにより、各セキュリティセンサ型送信機１２に生活確認機能を持たせる必要がないので、設定ミスを解消することができ、設定の間違いを防ぐことができる。さらに、時間の経過とともに、どの監視エリアに生活確認機能を設定したエリアか否か、生活確認機能を有する監視エリアの認識がファミリエリアの設定により容易となる。このセキュリティコントローラ１１ではファミリエリアの欄を設けることにより、設定ミスや誤使用を防止することができる。
【００６４】
また、省電力無線を利用した簡易式のセキュリティシステム１０において、誤作動を防止するために、遅延タイマ８０が設けられる。遅延タイマ８０は図６に示すように、セキュリティコントローラ１１内の例えば判定回路７１に設けられるが、パッシブ型センサ１５やマグネットスイッチ型センサ１６自体に内蔵させてもよい。
【００６５】
遅延タイマ８０は、セキュリティセンサ型送信機１２が異常信号を発信してからセキュリティコントローラ１１で受信して信号処理し、スピーカ６１から警報を発したり、外部への通報動作をするまでの時間を遅らせる機能を付与するものである。遅延タイマ機能は全てのセキュリティセンサ型送信機１２からのセンサ信号に持たせるのではなく、建物の敷地に設置されたパッシブ型センサ１５や玄関や勝手口の警戒エリアに設置されるマグネットスイッチ型センサ１６からのセンサ信号に、数分程度、例えば２分〜４分の遅れ時間を持たせるように設定される。
【００６６】
このセキュリティシステム１０においては、全ての監視エリアのうち、敷地内や車庫、玄関付近の特定の警戒エリアに、遅延タイマ機能を備えさせ、遅延動作エリアに設定する。遅延タイマ機能は特定の１つ以上の警戒エリアのみに持たせ、それ以外の警戒エリアには遅延タイマ機能を持たせないようにしたものである。遅延タイマ機能を有する警戒エリアを遅延動作エリアに固定化することで、全ての警戒エリア毎に遅延タイマを設定する必要がなく、遅延タイマ機能を有する警戒エリアの認識が容易となる。セキュリティシステムの設定ミスや誤使用を防ぐことができ、操作性が向上する。
【００６７】
このように、遅延タイマ機能を有する警戒エリアを遅延動作エリアに特定することにより、遅延タイマが必要な場所（エリア）に設置するパッシブ型センサやマグネットスイッチ型センサからのセンサ信号を直ちにスピーカ６１や外部の連絡先に通報することなく、所定時間遅らせて通報するようになっている。
【００６８】
この遅延タイマ機能により、外出していた住人が帰宅時に玄関等から建物の敷地内あるいは建物内に入る際に、自分で警戒状態に設定したセンサに検知され、検知したセンサ異常信号によりセキュリティコントローラ１１が作動し、即時に警報を鳴らしたり、外部に通報されるのを防止できる。通報時間を遅らせている間に在宅ボタン６４あるいは取消ボタン６３を押圧操作することで、セキュリティシステム１０がリセットされ、誤作動しないようにセットされる。
【００６９】
また、外出時には、留守番ボタン６５を押圧操作して外出するが、外出するまでの間に、玄関等に設置したセキュリティセンサ型送信機１２が外出者を感知してセキュリティコントローラ１１が誤作動することがないように、同様の遅延タイマがセキュリティコントローラ１１内に設けられる。外出するまでの数分間の間に検知した信号をセキュリティコントローラ１１が信号処理しないように遅延回路を設けてもよい。
【００７０】
図１ないし図６に示されたセキュリティシステム１０は、例えば車庫に駐車中の車両が異常を感知したり、窓から侵入者の侵入で窓が開けられた場合、マグネットスイッチ型センサ１２が異常を検知して、異常検知信号をセキュリティコントローラ１１に送ることで、セキュリティコントローラ１１は異常内容を表示パネル５７に表示したり、スピーカ６１から警報を発したり、さらに、必要に応じて設定された外部の連絡先に無線あるいは有線の電話回線を通じて通報できるようになっている。
【００７１】
車両用リモートコントローラ２９によりドアロックさせることにより車載用センサ型送信機１７はＯＮ状態となる。この車載用センサ型送信機１７がＯＮ状態で車庫や駐車場の警戒エリアに駐車中の車両がいたずらを受けたり、盗難されるような場合には、車両の振動を車載用センサ型送信機１７で検出して車載用センサ型送信機１７に備えたスピーカ２６や点滅ランプ２７により異常内容をアラームの音声とフラッシュランプ等の点滅により周囲に知らせる。これにより、盗難やいたずらを効果的かつ有効的に防止することができる一方、車両の異常はセキュリティコントローラ１１側にも伝え、建物内に滞在している家族にセキュリティコントローラ１１の表示パネル５７やスピーカ６１を通じて異常内容を瞬時に伝達できるようになっている。さらに、必要に応じてセキュリティコントローラ１１から警察や勤務先にも自動的に伝達できるようになっている。
【００７２】
また、このセキュリティシステム１０において、ペンダント型送信機１８は、人が身に付けるセンサであり、異常時にペンダント型送信機１８のスイッチ押圧操作により、在宅する家族への通報、あるいは親戚や親しい隣近所、友人、また必要に応じて救急センタ等の外部機関に通報できるようになっている。この意味で、ペンダント型送信機１８は家族、特に老人や物理的ハンディを負った人の救急措置を家族や外部の助けを借りて行なうことができ、生活確認機能やセキュリティアシスト機能を備えている。
【００７３】
また、建物や家族に異常事態が発生したとき、セキュリティコントローラ１１の非常ボタン６２をユーザが押圧操作することにより、セキュリティコントローラ１１が作動してスピーカ６１から警報を発したり、必要な外部連絡先に異常事態の発生を通報することができるようになっている。通報解除は取消ボタン６３の押圧操作により行なうことができる。その際、通報解除が一定時間できないようにセキュリティコントローラ１１を予めセットしてもよい。
【００７４】
また、このセキュリティシステム１０は、セキュリティコントローラ１１のＬＣＤ、有機エレクトロルミネッサンス（ＥＬ）等の表示パネル５７に図７および図８に示すように、各監視エリアとセンサ状態とを一括して表示パネル５７に一画面表示させることができる。
【００７５】
建物や建物の敷地内の監視エリアは複数の防犯エリアや車両盗難、火事等の事故検出エリアである複数の警戒エリアと１つ以上のファミリエリアとに区画され、各監視エリアにセキュリティセンサ型送信機１２が設置される。各セキュリティセンサ型送信機１２やセキュリティコントローラ１１には個々にアドレス、監視エリア、表示メッセージが、エリアボタン６０、カーソルキー５８および決定スイッチ５９を用いて予め設定される。
【００７６】
セキュリティシステム１０の警戒中に、セキュリティセンサ型送信機１２が設置されている場所（エリア）に異常が発生した場合、送信機１２からセキュリティコントローラ１１に、図１および図６に示すように異常センサ信号が通信され、セキュリティコントローラ１１の表示パネル５７に異常発生のメッセージ表示を行なうとともに、警戒エリア場所、例えば異常発生監視エリアに対応するエリアボタン６０が点滅したり、異常内容をスピーカ６１から音声にて警報表示したり、さらに、予め設定された外部機関に必要に応じて電話回線を利用して通報されるようになっている。
【００７７】
［セキュリティコントローラの表示パネル上の表示］
セキュリティコントローラ１１の表示パネル５７には、各監視エリアのセンサ状態が一括して一画面表示される。図７および図８は表示パネル５７上への表示状態を示している。各監視エリアにおける警戒エリアは、例えば１〜９まであり、その警戒エリア番号の下にセキュリティセンサ型送信機１２の各センサのセンサ状態を、異常がなければ○印で、異常時には×印で表示し、さらに、異常が発生した警戒エリアの異常発生内容をメッセージ表示している。
【００７８】
例えば、図７に示すように、マグネットスイッチ型センサ１６を窓に取り付け、警戒エリア番号を２、メッセージを「侵入」と設定した場合、この窓が開けられ、侵入者が侵入しようとすると、マグネットスイッチ型センサ１６が異常を検知してセキュリティコントローラ１１に異常検知信号が送信される。セキュリティコントローラ１１は異常検知信号を受信して信号処理し、セキュリティコントローラ１１の表示パネル５７に「侵入警報発生」と表示されるとともに、例えば警戒エリアのエリア番号の２とセンサ状態のマーク（×印）が点滅して、特定の警戒エリアに異常発生が生じたことを知らせるようになっている。
【００７９】
また、ペンダント型送信機１８を設置したエリア番号を０（ファミリエリア）とし、メッセージを「非常」と設定した場合、ペンダント型送信機１８を押圧操作すると、図８に示すようにファミリエリアのエリア番号０とセンサ状態のマーク（×印）が点滅して、異常を知らせることができる。その際、ペンダント型送信機１８は押圧操作しなくても、例えばユーザが転倒した場合のように、一定以上の衝撃を受けた場合に自動的に作動するようにしてもよい。
【００８０】
さらに、車載用センサ（車載型警報送信機）１７を車両搭載したエリア番号を３とし、メッセージを「盗難」と設定した場合には、車両の盗難を車載用センサ１７が感知してセキュリティコントローラ１１の表示パネル５７に「車両盗難等発生」と表示されるとともに、警戒エリアのエリア番号３とセンサ状態のマーク（×印）が点滅し、特定の警戒エリアで車両等盗難が生じたことを知らせるようになっている。
【００８１】
このように、各監視エリアとセンサ状態を表示パネル５７に一括して一画面表示させているので、各センサの異常状態の有無を一目で目視によりチェックすることができる。各監視エリアに用途に応じたタイプのセキュリティセンサ型送信機１２が設置される。例えば、マグネットスイッチ型センサ１６や車載用センサ１７、ペンダント型送信機１８の他に進入者を検知して出力するパッシブ型センサ１５、火災を検知する火災検知センサ１９、ガス漏れを検知するガス漏れ検知センサ２０、水漏れを検知する水漏れ検知センサ２１を各監視エリアにそれぞれ設置することができ、各監視エリアの設定エリア数全てを表示パネル５７に一画面表示させることができる。
【００８２】
このセキュリティコントローラ１１の表示パネル５７のように、各監視エリアとセンサ状態を一画面表示させることで、各監視エリアのセンサ状態を一目で確認できる。このため、各警戒エリアに設置したセンサ毎にＬＥＤ、有機ＥＬ等の表示手段を設け、ＬＥＤの点灯や点滅により個々の警戒エリアの異常を検知する手段の設置が不要となる。このセキュリティシステム１０では個々の警戒エリアにＬＥＤや有機ＥＬを設置する必要がないので、セキュリティセンサ型送信機１２の簡素化、コンパクト化を図ることができ、コストの低減を図ることができる。
【００８３】
［セキュリティコントローラおよびセキュリティセンサ型送信機への入力設定登録操作］
このセキュリティシステム１０では、システム作動に先立ち、セキュリティコントローラ１１と各セキュリティセンサ型送信機１２の個々のアドレス設定、監視エリアの設定、警報時間の設定、外部通報先の設定等を、エリアボタン６０、カーソルキー５８および決定スイッチ５９の操作により行なうことができる。
【００８４】
例えば、セキュリティコントローラ１１とセキュリティセンサ型送信機１２と設定入力は、セキュリティコントローラ１１の表示パネル５７に表示された内容をエリアボタン６０、カーソルキー５８、決定スイッチ５９で入力操作することにより行なわれる。セキュリティコントローラ１１の表示パネル５７にはセキュリティセンサ型送信機１２の登録に必要なシリアルＮｏ．欄、監視エリア番号欄、メッセージ内容欄および警報待ち時間欄が形成されており、表示パネル５７の画面表示を見ながらセキュリティセンサ型送信機１２のセンサ登録が行なわれる。
【００８５】
ステップ１では、エリアボタン１〜９，０にテンキー機能を持たせ、使用されるセキュリティセンサ型送信機１２のセンサ登録に必要なシリアルＮｏ．（アクセスＮｏ．）をエリアボタン１〜９，０を用いて入力する。このエリアボタン１〜９，０の押圧操作によりシリアルＮｏ．欄にセキュリティセンサ型送信機１２に対応するセンサ登録番号が付与されると、その後カーソルボタンであるカーソルキー５８の「↓」印を押すことによりカーソルが下に移動して入力決定対象が監視エリア設定欄を操作できるようにシフトされる。
【００８６】
ステップ２では、センサ登録番号が付与されたセキュリティセンサ型送信機１２の監視エリアの「←  →」印をいずれかの矢印側に押圧することにより、監視エリア番号が順次シフトされ、監視エリアのエリア番号が設定される。監視エリア番号の設定後にカーソルキー５８の「↓」印を押すことにより、カーソルが下に移動して次のメッセージ内容選択欄を操作できるようにシフトされる。
【００８７】
このメッセージ内容選択欄では、ステップ３で示すようにカーソルキー５８の「←  →」印をいずれかの矢印側に押圧することにより、メッセージ内容が選択される。メッセージ内容は、例えば「侵入」、「非常」の二者選択あるいは「侵入」、「非常」、「盗難」の三者選択であっても、さらに、三者以上の中から選択してもよい。メッセージ内容を例えば「侵入」に選択した後、カーソルキー５８の「↓」印側を押圧することにより警報待ち時間選択欄を操作できるようにカーソルがシフトされる。
【００８８】
ステップ４では、警報待ち時間選択欄上でカーソルキー５８を「←  →」印をいずれかの矢印側に押圧することで、待ち時間が選択される。図示例では待ち時間として４分を選択した例を示す。
【００８９】
ステップ１〜４の操作に誤りがなければ、各操作終了後に決定スイッチ５９を押圧することにより、１つのセキュリティセンサ型送信機１２に対するセキュリティコントローラ１１の入力設定操作が完了する。途中で誤りがある場合には、カーソルキー５８の「↑」印側を押すことにより、前のステップに順次戻ることができ、誤りのあるステップにおいて正しい入力操作を行なうようにすればよい。
【００９０】
このセキュリティシステム１０では、セキュリティセンサ型送信機１２のセンサ入力設定項目は、セキュリティコントローラ１１の表示パネル５７に一画面表示されており、センサ入力設定項目に従って順次入力していけば、セキュリティセンサ型送信機１２の入力設定を容易に行なうことができる。したがって、入力設定操作がし易く、入力時間の短縮を図ることができる。複数の画面に亘って表示されるセキュリティセンサ型送信機１２の入力設定と異なり、入力時の設定ミスを防止することができる。
【００９１】
また、このセキュリティシステム１０は、セキュリティコントローラ１１に備えられる１０個のエリアボタン６０に初期設定画面中においてのみ、数字入力機能を持たせることで、数字の入力ボタンとすることができる。１０個のエリアボタン６０には０〜９までの数字を割り振っておき、各種センサ選定画面にて数字を入力する際に使用される。
【００９２】
例えば、セキュリティセンサ型送信機１２のセンサ登録を行なう場合において、セキュリティコントローラ１１にセンサ登録番号である「１，２，３」の数字を入力する時には、センサ登録番号の入力画面において、エリアボタン１，２，３を順次押圧することで、センサ登録番号「１，２，３」を入力することができる。ユーザが暗証番号を登録するような場合でも、暗証番号の登録画面において、１０個のエリアボタン６０を用いて、ユーザが任意の番号を入力することができる。
【００９３】
このように、このセキュリティシステム１０では、初期設定画面においてエリアボタン６０に数字入力機能を持たせ、各センサの警戒／無警戒の切換ボタンと数字入力ボタンを併用させることで、専用の数字入力ボタンが不要となり、セキュリティコントローラ１１の簡素化と小型・コンパクト化を図ることができ、使用部品点数を少なくできるので、安価に製造できる。
【００９４】
［コントローラ内蔵バッテリの残量表示機能］
このセキュリティシステム１０に用いられるセキュリティコントローラ１１は外部電源７７からの電力により動作せしめられるが、電源喪失時にもセキュリティコントローラ１１の駆動ができるようにバッテリ７９を搭載している。このバッテリ７９は補助電源としての役割を担う。
【００９５】
バッテリ７９は時間の経過とともに劣化したり、容量が減少するために、補助電源としての機能を果せない場合が生じる。このセキュリティコントローラ１１においては、バッテリ７９の残存量を表示するバッテリ残量をチェックするボタン３３が設けられる。
【００９６】
バッテリチェックボタン６６を押圧すると、セキュリティコントローラ１１の表示パネル５７に、図１０に示すようにバッテリマークが表示される。バッテリマークはバッテリ７９の状態を表すマークであり、バッテリ残量が設定値以上であれば黒塗りマークを表示し、ある設定値以下の場合、白抜きマークを表示することで、ユーザにバッテリの残量状態を知らせることができる。
【００９７】
ユーザは任意でバッテリ７９の残量チェックが可能であり、黒塗りマークが表示されれば正常状態であるし、白抜きマークでバッテリ７９の交換要求をされる前に事前にバッテリ７９の劣化程度を知ることができ、予め予備のバッテリを準備したり、長期間留守にする前にバッテリ交換等の対応をとることができ、セキュリティシステム１０として使い勝手が向上し、信頼性を高めることができる。
【００９８】
このように、セキュリティシステム１０においては、ユーザが任意にバッテリ７９をチェックでき、バッテリ７９の交換時期の目安を知ることができる。また、外出前にバッテリ７９をチェックすることで、留守中にバッテリ７９が切れてセキュリティとして動作しない等の問題を解消できる。
【００９９】
なお、バッテリ７９のチェックにおいて、バッテリ残量を２段階表示する例を示したが、３段階以上の多段階表示としてもよく、また、バッテリ７９をチャージ可能なバッテリとし、セキュリティシステム１０の外部電源７７を利用した動作時に、バッテリ７７が常時チャージされる構成としてもよい。
【０１００】
また、本発明の実施形態では、車載用センサ１７をＯＮ−ＯＦＦ作動させる車両用リモートコントローラを図３に示すように、エンジンキーから分離させた携帯用とした例を示したが、図１１に示すように、車両用リモートコントローラ８５をエンジンキー８６と一体に設けてもよい。この場合、車両用リモートコントローラ８５にドアロック装置（図示せず）を作動させるドアロックボタン８７と、ドアロックを解除するドアロック解除ボタン８８と、トランクロック装置を解除するトランクロック解除ボタン８９と、車載用センサ１７をＯＮ−ＯＦＦ作動させるスイッチボタン９０とがスイッチ本体９１に設けられる。車両用リモートコントローラ８５のドアロックボタン８７に車載用センサ１７のＯＮ作動させる機能を、ドアロック解除ボタン８８にＯＦＦ作動させる機能を持たせた場合には、スイッチボタン９０は不要となる。
【０１０１】
【発明の効果】
本発明に係るセキュリティシステムは、省電力無線利用のワイヤレスシステムとしてシステムの小型・コンパクト化、簡素化が図れる一方、配線作業が不要となり、システムの取付・設置が容易で誤作動を生じさせることがなく、車両の盗難等を有効的に防止し、安心感を付与できるシステムを提供できる。
【０１０２】
また、本発明に係るセキュリティシステムは、車載用センサ型送信機を住宅の建物内に設けられたセキュリティコントローラと無線通信可能に構成され、監視エリア内の特定警戒エリア（車両・駐車場）に駐停車している車両に異常が発生したとき、車両に搭載された車載用センサ型送信機が音と光で周囲に警告を発するとともにセキュリティコントローラに車両の異常を送信し、車両の異常を迅速かつ正確にキャッチでき、車両の盗難や車上積載物の盗難を有効的にかつ確実に防止できる。
【０１０３】
さらに、本発明に係るセキュリティシステムは、不審者による車両盗難等を未然にかつ確実に防止できる一方、通常の所有者（家族）が車両を利用する場合には、車載用センサ型送信機をＯＦＦ状態に自動的あるいは手動操作にてセットでき、車載用センサ型送信機の誤作動や誤使用を防止して使い勝手を向上させることができる。
【０１０４】
一方、本発明に係るセキュリティシステムは、建物や建物の敷地内の監視エリアの全てのセンサ状態を、セキュリティコントローラの表示パネルへ表示することで一括管理でき、誤作動を生じさせることなく、侵入者や車両への不審なアクセス者を正確に検知して警報を鳴らしたり、必要に応じて外部へ自動的に通報することができる。
【図面の簡単な説明】
【図１】本発明に係るセキュリティシステムの一実施形態を示すシステム構成図。
【図２】本発明に係るセキュリティシステムに備えられる車載用センサの外観を示す正面図。
【図３】図２に示された車載用センサのシステム構成を概略的に示すブロック図。
【図４】本発明に係るセキュリティシステムに備えられるセキュリティコントローラの外観を示す正面図。
【図５】図４に示されたセキュリティコントローラの側面図。
【図６】本発明に係るセキュリティシステムのシステム構成を概略的に示す図。
【図７】本発明に係るセキュリティシステムのコントローラに備えられる表示パネルへの表示例を示す図。
【図８】セキュリティコントローラに備えられる表示パネルへの他の表示例を示す図。
【図９】セキュリティコントローラを用いてセキュリティセンサ型送信機への入力設定におけるフローチャートを示す図。
【図１０】前記セキュリティコントローラのバッテリチェックボタン操作により表示パネルに表示されるバッテリ残量をそれぞれ示す図。
【図１１】本発明に係るセキュリティシステムに備えられる車載用センサをＯＮ−ＯＦＦ作動させるエンジンキー一体型の車両用リモートコントローラを示す図。
【符号の説明】
１０  セキュリティシステム
１１  セキュリティコントローラ（監視制御盤）
１２  セキュリティセンサ型送信機
１５  パッシブ型センサ（防犯センサ）
１６  マグネットスイッチ型センサ（防犯センサ）
１７  車載用センサ型送信機
１８  ペンダント型送信機（コールセンサ）
１９  火災検知センサ
２０  ガス漏れ検知センサ
２１  水漏れ検知センサ
２２  アラーム発生手段
２５  センサ本体
２６  スピーカ
２７  点滅ランプ
２８  スイッチボタン
２９  車両用リモートコントローラ
３０  送受信機
３１  アンテナ
３２ａ  受信機
３２ｂ  送信機
３３  判別回路
３４  信号処理部
４０  スイッチ本体
４１  ドアロックボタン
４３  ドアロック解除ボタン
４４  トランクロック解除ボタン
４５  点灯ボタン
４６  スイッチボタン
４７  送信機
５０  振動センサ
５１  音声出力回路
５２  フラッシュ作動回路
５３  バッテリ
５５  本体ケース
５６  アンテナ
５７  表示パネル
５８  カーソルキー（カーソルボタン）
５９  決定スイッチ
６０  エリアボタン
６１  スピーカ
６２  非常ボタン
６３  取消ボタン
６４  在宅ボタン
６５  留守番ボタン
６６  バッテリチェックボタン
７０  受信機
７１  判別回路
７２  信号処理・制御部（ＣＰＵ）
７３  表示回路
７４  音声出力回路
７５  送信回路
７６  送信機
７７  外部電源
７８  切換スイッチ
７９  バッテリ
８０  遅延タイマ
８５  車両用リモートコントローラ
８６  エンジンキー
８７  ドアロックボタン
８８  ドアロック解除ボタン
８９  トランクロック解除ボタン
９０  スイッチボタン
９１  スイッチ本体
【図１】
2004185124.tif 000003
【図２】
2004185124.tif 000004
【図３】
2004185124.tif 000005
【図４】
2004185124.tif 000006
【図５】
2004185124.tif 000007
【図６】
2004185124.tif 000008
【図７】
2004185124.tif 000009
【図８】
2004185124.tif 000010
【図９】
2004185124.tif 000011
【図１０】
2004185124.tif 000012
【図１１】
2004185124.tif 000013